(57)【要約】【課題】コスト軽減と再利用化を図ることが可能なダッペンディシュを提供する。【解決手段】略平板状の基台４に薬剤調合部が具備されたダッペンディシュ２であって、前記基台４に予め受け部孔８が形成されているとともに、この受け部孔８に予め用意されたカップ状部材２２が着脱自在に装着されることにより、前記薬剤調合部が構成されていることを特徴とする。【選択図】図１
2011072618.tif 000002
【特許請求の範囲】
【請求項１】
略平板状の基台に薬剤調合部が具備されたダッペンディシュであって、
前記基台に予め受け部孔が形成されているとともに、この受け部孔に予め用意されたカップ状部材が着脱自在に装着されることにより、前記薬剤調合部が構成されていることを特徴とするダッペンディッシュ。
【請求項２】
前記カップ状部材は、フランジ部を有するとともに、裏側外周面に複数個の回り止め突起が突設されていることを特徴とする請求項１に記載のダッペンディッシュ。
【請求項３】
前記カップ状部材における前記フランジ部の下方には、当該カップ状部材同士を重ね合わせた場合の間隙を確保するための凸条が環状に形成されていることを特徴とする請求項１または２に記載のダッペンディッシュ。
【請求項４】
前記基台における前記受け部孔が形成された領域以外の部分に、凹部が形成されていることを特徴とする請求項１に記載のダッペンディシュ。
【請求項５】
前記基台における前記受け部孔および前記凹部が形成された領域以外の部分に、筆置き部が形成されていることを特徴とする請求項４に記載のダッペンディッシュ。
【発明の詳細な説明】
【技術分野】
【０００１】
本発明は、歯科分野において、例えば、固液混練等にて調合されるペーストまたは粘性体を調製するためのダッペンディッシュに関する。
【背景技術】
【０００２】
歯科用接着材の調製容器としてダッペンディッシュが知られている。
このダッペンディッシュは、略皿状の基台に３個程度の薬剤調合部が形成されたもので、この薬剤調合部内において混合する所定の物質が混和されている（特許文献１）。
【０００３】
ところで、歯科用接着材は、硬化すれば当然ながら強固な接着力を有するので、使用後にダッペンディッシュから洗い落とすことは極めて困難である。また、患部の血液、唾液、微生物にて汚染されることが多いことから、感染の危険を防ぐ目的で、そのまま廃棄されるのが一般的である。
【０００４】
しかしながら、ダッペンディッシュをそのまま廃棄することは、コスト高になるとともに、資源削減の観点からも好ましくなく、ダッペンディシュの再利用化が望まれている。
【先行技術文献】
【特許文献】
【０００５】
【特許文献１】特開２００１−２０４７４７号公報
【発明の概要】
【発明が解決しようとする課題】
【０００６】
本発明は、このような従来の実情に鑑み、コスト軽減と再利用化を図ることが可能なダッペンディシュを提供することを目的としている。
【課題を解決するための手段】
【０００７】
上記目的を達成するための本発明に係るダッペンディッシュは、
略平板状の基台に薬剤調合部が具備されたダッペンディシュであって、
前記基台に予め受け部孔が形成されているとともに、この受け部孔に予め用意されたカップ状部材が着脱自在に装着されることにより、前記薬剤調合部が構成されていることを特徴としている。
【０００８】
このような構成のダッペンディッシュによれば、使い捨てにしなければならない部分のみを使い捨てにし、かつその他の基台部分を繰り返し使用することができる。したがって、コスト低減と省資源化を図ることができる。
【０００９】
ここで、本発明では、前記カップ状部材は、フランジ部を有するとともに、裏側外周面に複数個の回り止め突起が突設されていることが好ましい。
このような構成であれば、安価にして落下防止機能を具備させることができ、さらにはカップ状部材を装着した場合の回り止め機能を具備させることができる。
【００１０】
また、本発明では、前記カップ状部材における前記フランジ部の下方には、当該カップ状部材同士を重ね合わせた場合の間隙を確保するための凸条２７が環状に形成されていることが好ましい。
【００１１】
このような凸条２７が環状に形成されていれば、カップ同士を重ねた状態から１個１個に取り外すのが容易である。
さらに、本発明では、前記基台における前記受け部孔が形成された領域以外の部分に、凹部が形成されていても良い。
【００１２】
このような構成であれば、例えば、プライマー前処理剤などのように、固化する虞のない薬剤を、この凹部に取り分けることができる。
また、前記基台における前記受け部孔および前記凹部が形成された領域以外の部分に、筆を載置するための筆置き部が形成されていることが好ましい。
【００１３】
このような構成であれば、口腔内の歯質や補綴物に歯科用接着剤などの歯科用組成物を塗布するための用具である筆を置くことができる。
【発明の効果】
【００１４】
本願発明に係るダッペンディッシュによれば、時間の経過とともに固化してしまう薬剤を調合するためのカップ状部材のみを使い捨てにすることができる。また、他の基台部分を繰り返し使用可能としたため、コストの軽減および資源の削減に寄与することができる。
【００１５】
また、カップ状部材にフランジ部を具備させるとともに、裏側外周面に回り止め突起を設けることにより、基台の受け部に差し込んだ場合に姿勢を安定にし、外れや落下を防止することができる。
【００１６】
さらに、受け部孔を設けた以外の部分に凹部を設ければ、この凹部に、洗浄により綺麗に落とすことが可能な薬剤、脱脂綿など他の物品を適宜収容することができる。これにより、ダッペンディッシュの使い勝手を広げることができる。
【００１７】
また、筆置き部が形成されていれば、歯科用接着剤などを塗布するための筆を置くことができ、医療関係者が直ちにそれを手にすることができる。
【図面の簡単な説明】
【００１８】
【図１】図１は本発明に係るダッペンディッシュの分解斜視図である。
【図２】図２は本発明に係るダッペンディッシュの基台部分の平面図である。
【図３】図３は、図１に示したダッペンディッシュのＡ−Ａ線方向の断面図である。
【図４】図４は図１に示したダッペンディッシュの基台部分の下面図である。
【図５】図５（Ａ）は図２に示したダッペンディッシュの基台の受け部に着脱自在に装着されるカップ状部材の斜視図、図５（Ｂ）は、そのカップ状部材の断面図である。
【図６】図６は図４に示したダッペンディッシュのＢ−Ｂ線方向の断面図である。
【発明を実施するための形態】
【００１９】
以下、図面を参照しながら、本発明に係るダッペンディッシュについて説明する。
図１は本発明の一実施例に係るダッペンディッシュを示したもので、図２は図１に示したダッペンディッシュの基台を示したものである。
【００２０】
このダッペンディッシュ２は、略平板状の基台４を有している。この基台４には、下方に向かって、図２のＡ−Ａ線方向の断面図を示す図３に明示されるようなすり鉢状の受け部６が３つ千鳥状に形成されている。そして、各受け部６の底面には、受け部孔８が形成されている。
【００２１】
一方、３つのうち中央に形成された受け部６の両側に、半球状の凹部１０，１０がそれぞれ形成されている。さらに、これら半球状の２つの凹部１０、１０の手前側には、断面略Ｕ字状の筆置き部１２が形成されている。
【００２２】
上記基台４はポリプロピレンなどにより形成されたもので、図３及び図４に示したように、その平板状の上面４ａの周囲に短側壁１３と長側壁１４とが延出され、下面側は開口して形成されている。また、これら短側壁１３と長側壁１４とには、図４に示したように、中央に形成されたすり鉢状の受け部６に向かって補強用のリブ１６が形成されている。さらに、図４および図６に示したように、基台４の裏面角部には、段付き孔１８が形成され、この段付き孔１８内にゴム製の滑り止め部材２０が圧入されている。
【００２３】
図１に戻って、上記基台４に形成されたすり鉢状の３つの受け部６内には、予め用意されたカップ状部材２２が着脱自在に装着される。
このカップ状部材２２は、上記受け部６のすり鉢形状に対応して形成されたもので、図５（Ａ）、（Ｂ）に示したように、その開口部に大径なフランジ２４を有し、かつ胴部の外周面に複数個（実施例では３個）の回り止め突起２６が略等間隔で形成されている。この回り止め突起２６を設けた胴部の径は、受け部孔８の内径より僅かに大きく設定されている。
【００２４】
なお、カップ状部材２２の開口端側のフランジ２４より若干下がった位置の外周面には、図５（Ｂ）に示したように、カップ同士を重ねた場合の位置決め固定に有効な凸条２７が環状に形成されている。このように、凸条２７をカップ状部材２２のフランジ２４より若干下がった位置に環状に設ければ、カップ状部材２２同士を重ねた場合に、上下のフランジ２２，２２間の間隙を確保し軽く合わされるので、重ねた状態から一つ一つのカップに分離することが容易である。
【００２５】
このようなカップ状部材２２が基台４の受け部孔８内に収容されると、受け部孔８の内周縁部に回り止め突起２６が係止される。これにより、カップ状部材２２が基台４から簡単に外れたりすることはなく、装着時の姿勢を安定にすることができる。また、作業中に基台４から不用意に外れたりすることがない。
【００２６】
また、このようにカップ状部材２２が装着されることにより、基台４の上面４ａに薬剤調合部が構成される。
上記基台４に形成された２つの凹部１０は、カップ状部材２２よりやや小さく形成されているが、大きさ、形状など限定されない。しかしながら、洗浄性を考慮すれば、半球状であることが好ましい。
【００２７】
上記断面略Ｕ字状の筆置き部１２は、歯科用接着剤などを塗布するための道具である筆２８を載置するためのもので、手前側に直線的に形成されている。また、その中央領域は、作業者の指先が容易に入るように、若干幅広で、かつ深さが周囲よりも深く形成されている。
【００２８】
これにより、医療関係者が筆２８を手に取るときの作業性が確保される。
本発明に係るダッペンディッシュは上記のように形成されているが、以下に作用について説明する。
【００２９】
先ず、基台４とは別体で形成されたカップ状部材２２は尻つぼみ形状で上方が開口して形成されているため、多段に重ねて保管あるいは運搬することができる。したがって、非使用時には、基台４上であるいは他のテーブルなどの上に重ねて管理することができる。そして、使用時には、所望とするカップ状部材２２を基台４の上にそれぞれ装着する。
【００３０】
歯科用接着剤など、使用後に固化する虞のある組成物を混錬する場合は、筆２８を手にとってカップ状部材２２の内部で調合すれば良い。また、プライマー前処理剤など固化する虞のない物品を扱う場合は、基台４と一体に形成された凹部１０内に収容すれば良い。
【００３１】
作業が完了した場合には、カップ状部材２２のみを使い捨てとし、使用後のカップ状部材２２は、この基台４から取り外して破棄すればよい。また、他の基台部分は、洗浄すれば繰り返し使用することができる。これにより、ダッペンディッシュの多くの部分を再利用することが可能とできる。
【００３２】
このように本発明では、接着剤が固化してしまった場合にこれまで破棄するしかなかったダッペンディッシュの多くの部分を繰り返し利用することができる。したがって、コスト低減に寄与するとともに、省資源化に寄与する。
【符号の説明】
【００３３】
２      ダッペンディッシュ
４      基台
６      受け部
８      受け部孔
１０    凹部
１２    筆載置部
２０    滑り止め部材
２２    カップ状部材
２４    フランジ部
２６    回り止め部材
２７    凸部
【図１】
2011072618.tif 000003
【図２】
2011072618.tif 000004
【図３】
2011072618.tif 000005
【図４】
2011072618.tif 000006
【図５】
2011072618.tif 000007
【図６】
2011072618.tif 000008